(57)【要約】【課題】データの移動処理の際に複製先の記録媒体の残容量が不足してデータの移動が不可能となった場合は処理が終了し、記録媒体の残容量を有効利用できなかった。【解決手段】作成した複製順リストに従い、優先順が高いデータの容量が複製可能であれば複製するとともに、複製したデータを複製順リストから削除する。この複製処理を複製順リストが空になるまで繰り返すことで、複製先の記録媒体の残容量に納まる優先順の高いデータを複製することができる。【選択図】図１
2009252270.tif 000002
【特許請求の範囲】
【請求項１】
複数の曲データが記録された少なくとも一つの記録媒体を備え、当該曲データを記録再生装置外の外部記録媒体に複製可能な記録再生装置において、
前記複数の曲データの中から特定の曲データを選択するキーワードを入力可能で、当該キーワードに複製したい優先順を設定可能な入力手段と、
前記入力手段により入力されたキーワード毎に、既存のプレイリストから対応する曲データを選択して、複数の複製用プレイリストを作成し保存する複製用プレイリスト作成手段と、
前記入力手段により入力されたキーワードの前記優先順に従って、前記複製用プレイリストの複製順リストを作成する複製順リスト作成手段と、
前記複製順リストに従い前記選択された複製用プレイリストの曲データの容量と、前記外部記録媒体の空き容量とを検出し、容量を比較する容量管理手段と、
前記複製順リストに従い記録装置外の記録媒体に、前記複製用プレイリストの曲データの複製を行う複製処理手段とを備え、
前記複製処理手段は、前記複製順リストに従い、複製用プレイリストの曲データの容量が前記外部記録媒体の空き容量以下で複製可能であるかどうかを判断し、順次複製処理を行うように構成したことを特徴とする記録再生装置。
【請求項２】
前記複製処理手段により行う複製順が最上位の複製用プレイリストに対応する曲データの複製完了または複製中止時に、前記複製順リストから当該最上位複製用プレイリストを消去するリスト消去手段と、
前記複製順リストが存在するか空であるかを監視する複製順リスト監視手段とを備え、
複製処理を継続するか終了するかの判断を行い得るように構成したことを特徴とする請求項１記載の記録再生装置。
【請求項３】
複数の曲データが記録された少なくとも一つの記録媒体を備えた記録再生装置から当該曲データを装置外の外部記録媒体に複製する複製方法であって、
記録された曲データ特定用の複数のキーワードに優先順を設定可能でかつ当該キーワードを入力可能とし、
この入力されたキーワード毎に対応する曲データをまとめた複数の複製用プレイリストを作成し、
前記入力されたキーワードの優先順に対応して前記複製用プレイリストの複製順リストを作成し、
複製順リストに従い、複製順リスト最上位の複製用プレイリストに対応する曲データの容量が、前記外部記録媒体の空容量に複製可能か否かを判断し、
複製可能と判断した場合は、当該複製用プレイリストに対応する曲データを外部記録媒体に転送して複製すると共に、当該複製用プレイリストを複製順リストから削除し、
複製不可能と判断した場合は、当該複製用プレイリストに対応する曲データを外部記録媒体に複製することなく複製順リストから削除し、
以下、前記複製順リストが空になるまで、当該複製順リストに従って順次前記外部記録媒体に複製することを特徴とする外部記録媒体への複製方法。
【請求項４】
前記外部記録媒体の空容量に複製可能か否かの判断において、
前記複製順リストにおける最上位の複製用プレイリストに対応する曲データの容量が、外部記録媒体の空容量より大きく複製不可能と判断された場合、
当該複製順リスト最上位の複製用プレイリストに対応する曲データの既存プレイリストを確認し、当該既存プレイリストに基づき分割複製用プレイリストを作成し、
この分割された複製用プレイリストに、既存プレイリストに設定された既存優先度に対応する複製順を設定し、
当該分割された複製用プレイリストの複製順リストを作成し、
この分割複製用プレイリストの複製順リストに従って、当該複製順リストが空になるまで、順次前記外部記録媒体に複製することを特徴とする請求項３記載の外部記録媒体への複製方法。
【発明の詳細な説明】
【技術分野】
【０００１】
本発明は、複数の曲データが記録された少なくとも一つの記録媒体を備え、当該曲データを外部記録媒体に複製することができる記録再生装置に関するものである。
【背景技術】
【０００２】
近年、ＨＤＤ（Ｈａｒｄ  Ｄｉｓｋ  Ｄｒｉｖｅ）やＤＶＤ（Ｄｉｇｉｔａｌ  Ｖｅｒｓａｔｉｌｅ  Ｄｉｓｋ）、ＳＤ（Ｓｅｃｕｒｅ  Ｄｉｇｉｔａｌ）カードなど様々な記録媒体が存在し、急速に普及している。その中でも、大容量化が進んでいるＨＤＤを利用し、データの記録を行う記録装置の普及が目覚しい。記録媒体の大容量化に伴い、記録されるデータ量も膨大なものとなってきており、記録媒体の容量を有効に利用する手段やこれらのデータの管理手段が重要となっている。
【０００３】
特許文献１には、ＨＤＤ内の複数のデータを他のＨＤＤに移動／保存する際に、付与されたデータの優先度を判断し、優先度の高いデータから順番に移動／保存するデータ記憶装置の手法が開示されている。
【０００４】
図４は、従来のデータ記録装置の概略構成図を示す。従来のデータ記録装置は、空き容量管理部４０１、規則格納手段４０２、優先度算出手段４０３、優先度格納手段４０４、移動処理手段４０５は移動開始部４０６、移動中止部４０７、移動完了部４０８、HDD４０９及び４１０で構成されている。空き容量管理部４０１は、各ＨＤＤの空き容量の大きさを管理する。規則格納手段４０２は、優先度により複数のデータに優先順位を付加する規則を格納する。優先度算出手段４０３はデータの優先度を算出するものであり、例えばデータに応じて各属性、各分類毎に定められた個々の優先度を加算して、そのデータの優先度を算出する。優先度格納手段４０４は、前記優先度算出手段４０３で算出されたデータ毎の優先度を保持する。移動処理手段４０５は保存先のＨＤＤに移動処理を開始する移動開始部４０６、移動処理を中止する移動中止部４０７、移動処理を完了する移動完了部４０８で構成されている。
【０００５】
図５は、従来のデータ記録装置における、新しくＨＤＤを増設する時のデータ移動手順のフローチャートを示す。まずＳ５０１において安全性の低いＨＤＤに保存されている全データの優先度を算出する。次にＳ５０２において全データを優先度に従い並べ替え、Ｓ５０３において優先度の最も高いデータを新しいＨＤＤに移動する。そして、Ｓ５０４において移動時に、新しいＨＤＤの容量が不足していればＳ５０６においてデータの移動を中止し、終了する。また、Ｓ５０７では全データの移動が終了していれば、全データの処理を終了する。
【特許文献１】特開２００３―６００５号公報
【発明の開示】
【発明が解決しようとする課題】
【０００６】
しかしながら従来のデータ記録装置では、優先順位が高いデータから順番に記録媒体に移動する手法が開示されているが、データの移動処理の際に複製先の記録媒体の残容量が不足してデータの移動が不可能となった場合は処理が終了し、記録媒体の残容量を有効利用できないという問題があった。
【０００７】
本発明の目的は、複数のデータの複製処理の際に、複製先の記録媒体の残容量に納まるように優先順の高いデータを選択し複製することで、複製先の記録媒体の残容量を有効利用することができる記録再生装置を提供することである。
【課題を解決するための手段】
【０００８】
前記目的を達成するために、複数の曲データが記録された少なくとも一つの記録媒体を備え、当該曲データを記録再生装置外の外部記録媒体に複製可能な記録再生装置において、前記複数の曲データの中から特定の曲データを選択するキーワードを入力可能で、当該キーワードに複製したい優先順を設定可能な入力手段と、前記入力手段により入力されたキーワード毎に、既存のプレイリストから対応する曲データを選択して、複数の複製用プレイリストを作成し保存する複製用プレイリスト作成手段と、前記入力手段により入力されたキーワードの前記優先順に従って、前記複製用プレイリストの複製順リストを作成する複製順リスト作成手段と、前記複製順リストに従い前記選択された複製用プレイリストの曲データの容量と、前記外部記録媒体の空き容量とを検出し、容量を比較する容量管理手段と、前記複製順リストに従い記録装置外の記録媒体に、前記複製用プレイリストの曲データの複製を行う複製処理手段とを備え、前記複製処理手段は、前記複製順リストに従い、複製用プレイリストの曲データの容量が前記外部記録媒体の空き容量以下で複製可能であるかどうかを判断し、順次複製処理を行うように構成したことを特徴とするものである。
【発明の効果】
【０００９】
本発明の記録再生装置は、複数のデータの複製処理の際に、複製先の記録媒体の残容量が不足してデータの複製が不可能となった場合は、複製順リストに従い、次に優先順が高いデータの容量が複製可能であれば複製するとともに、複製したデータを複製順リストから削除する。この複製処理を複製順リストが空になるまで繰り返すことで、複製先の記録媒体の残容量に納まる優先順の高いデータの選択・複製が可能となり、複製先の記録媒体の残容量を有効利用することができるという有利な効果が得られる。
【発明を実施するための最良の形態】
【００１０】
以下、本発明の実施の形態について、図１及び図２を参照して説明する。
【００１１】
（実施の形態）
図１は、本発明の実施の形態における記録再生装置のブロック図を示す。本発明の記録再生装置は、入力手段１０１、複製用プレイリスト作成手段１０２、複製順リスト作成手段１０３、容量管理手段１０４、複製処理手段１０７、リスト消去手段１１１、複製順リスト監視手段１１２、データ消去手段１１３、ＳＤカード１１４、ＨＤＤ１１５、誤記録防止手段１１６、再生手段１１９から構成される。
【００１２】
入力手段１０１は、記録媒体ＨＤＤ１１５に記録された複数の曲データの中から特定の曲データを選択するためのキーワードを入力するとともに、当該キーワードに複製したい優先順を設定する。複製用プレイリスト作成手段１０２は、入力手段１０１により入力されたキーワード毎に、既存のプレイリストから対応する曲データを選択して、複数の複製用プレイリストを作成するととにも、記録媒体に保存する。複製順リスト作成手段１０３は、入力手段１０１により入力されたキーワードの優先順に従って、前記複製用プレイリストの複製順リストを作成する。容量管理手段１０４は、複製順リスト作成手段１０３で作成された複製順リストに従い、前記選択された複製用プレイリストの曲データの容量と、外部記録媒体の空き容量とを検出する容量検出部１０５、前記容量検出部で検出された容量を比較する容量比較部１０６で構成される。複製処理手段１０７は、容量管理手段１０４により、複製先の記録媒体内にデータの複製を開始する複製開始部１０８とデータの複製を中止する複製中止部１０９とデータの複製を完了する複製完了部１１０で構成され、複製順リスト作成手段１０３で作成された複製順リストに従い、外部記録媒体ＳＤカード１１４に、複製用プレイリスト作成手段１０２で作成された複製用プレイリストの曲データの複製を行う。リスト消去手段１１１は、複製処理手段１０７により行う複製順が最上位の複製用プレイリストに対応する曲データの複製完了または複製中止時に、複製順リスト作成手段１０３で作成された複製順リストから当該最上位複製用プレイリストを消去する。複製順リスト監視手段１１２は、複製順リスト作成手段１０３で作成された複製順リストが存在するか空であるかを監視する。データ消去手段１１３はＳＤカード１１４に記録可能となった場合にＳＤカード１１４内の全てのデータを消去する。ただし、この場合に消去するＳＤカード１１４内のデータはＨＤＤ１１５内の複製するデータのグループと同じ拡張子を持つグループのみを消去する。誤記録防止手段１１６は記録再生装置外の記録媒体に付与された誤記録防止用のツメなどから誤記録防止状態を検出する記録防止状態検出部１１７と前記記録媒体上にデータを記録することを禁止する記録禁止部１１８で構成されている。再生手段１１９は記録再生装置内、複製先の記録媒体内のデータを再生するものである。
【００１３】
以上のように構成された記録再生装置について、当該記録再生装置が有する記録媒体ＨＤＤ１１５に記載された音楽データを、装置外の記録媒体ＳＤカード１１４に複製する際の複製方法を説明する。
【００１４】
図２は本発明の実施の形態における外部記録媒体ＳＤカード１１４への複製方法のフローチャート、図３は本発明の実施の形態における分割複製用プレイリスト作成処理のフローチャートを示す。
【００１５】
まずＳ２０１においてＳＤカード１１４の誤記録防止用のツメの状態を誤記録防止手段１１６により検出し、ロック状態と判断した場合は、Ｓ２０２において複製不可を示す表示を行い、一方誤記録防止用のツメが未ロック状態と判断した場合は、Ｓ２０３において、入力手段により複製キーワードを取得する。さらに入力手段では、記録された曲データ特定用の複数のキーワードに優先順を設定することができる。次にＳ２０５において、Ｓ２０３で取得したキーワード毎に対応する曲データをまとめた複数の複製用プレイリストを作成する。次にＳ２０６において、複製順リスト作成手段１０３により、前記入力されたキーワードの優先順に対応して前記複製用プレイリストの複製順リストを作成する。次にＳ２０７において、容量管理手段１０４により、複製順リストに従い、複製順リスト最上位の複製用プレイリストに対応する曲データの容量が、前記外部記録媒体の空容量に複製可能か否かを判断する。複製可能と判断した場合は、Ｓ２０９においてＳＤカード１１４の全データを削除し、Ｓ１０において複製処理手段１０７により当該複製用プレイリストに対応する曲データを外部記録媒体に転送して複製すると共に、Ｓ２１４においてリスト消去手段１１１により当該複製用プレイリストを複製順リストから削除する。複製不可能と判断した場合は、Ｓ２０８において、複製用プレイリスト内の曲データを既存優先度に基づき分割した分割複製用プレイリストを作成し（S３０１）、分割複製用プレイリストに既存プレイリストに設定された既存優先度に対応する複製順を設定する（S３０２）。複製順が最上位の複製用プレイリストの曲データがＳＤカード１１４に複製可能であれば（S３０３）、Ｓ２１０の処理を実行する。一方複製が不可の場合にはＳ２０２の処理を行う。Ｓ２１５において、複製順リスト監視手段１１２により前記複製順リストが空かどうかを判断することで、前記複製順リストが空になるまで、当該複製順リストに従って順次前記外部記録媒体ＳＤカード１１４に複製することができる。
【産業上の利用可能性】
【００１６】
今後、ＨＤＤなどの記憶媒体を備えたオーディオ再生装置の普及が大いに考えられる。このような装置において、ＳＤカードなどの記録媒体が利用可能となる機能を搭載することで、外出先でＨＤＤ内の音楽を簡単に楽しみたいと考えるようになることが予想される。このようにＨＤＤ内の音楽データをＳＤカードに複製する際に、本発明により、利用者が指定した優先順の高いデータの選択・複製が可能となり、複製先の記録媒体の残容量に納まる複製先の記録媒体の残容量を有効利用することができる。
【図面の簡単な説明】
【００１７】
【図１】本発明の実施の形態における記録再生装置のブロック図
【図２】本発明の実施の形態における外部記録媒体への複製方法のフローチャート
【図３】本発明の実施の形態における分割複製用プレイリスト作成処理のフローチャート
【図４】従来のデータ記録装置のブロック図
【図５】従来のデータ記録装置のデータ移動手順のフローチャート
【符号の説明】
【００１８】
１０１    入力手段
１０２    複製用プレイリスト作成手段
１０３    複製順リスト作成手段
１０４    容量管理手段
１０７    複製処理手段
１１１    リスト消去手段
１１２    複製順リスト監視手段
１１３    データ消去手段
１１４    ＳＤカード
１１５    ＨＤＤ
１１６    誤記録防止手段
１１９    再生手段
【図１】
2009252270.tif 000003
【図２】
2009252270.tif 000004
【図３】
2009252270.tif 000005
【図４】
2009252270.tif 000006
【図５】
2009252270.tif 000007